(57)【要約】  トランスペアレント光ネットワーク用光接続経路監視装置は、前記ネットワークの点で通過する光信号によって運ばれたノード署名を検出するように構成された分析手段８０、８１を含んでおり、各ノード署名はネットワークの切換ノードに一意に関連する情報を含んでいる。分析手段は、前記検出されたノード署名からホップの数を判断するように構成された演算手段８１と、所定の閾値を超えた場合に前記光信号に関連するルーティングエラーを検出するために前記ホップの数を前記閾値と比較するように構成されたエラー検出手段８１とを含んでいる。一実施形態では、監視装置は検出したノード署名に基づきループ状経路を検出する。
2009543487.tif 000002
【特許請求の範囲】
【請求項１】
複数の切換ノード（３１、３２）のそれぞれが前記切換ノードの上流側のリンクから前記切換ノードの下流側のリンクまで光信号を透過的に通過させ、前記光信号を前記切換ノードに一意に関連する情報を含むノード署名でマーキングするようにそれぞれ構成された、トランスペアレント光ネットワーク（３０）用の光接続経路監視方法であり、前記ネットワークの点で通過している光信号がこれによりマーキングされるノード署名を検出するステップ（７１）を含んでいる方法であって、
前記検出されたノード署名からホップの数を判断するステップ（７２）と、
前記閾値を超えた場合に前記光信号に関するルーティングエラーを検出するように、前記ホップの数を所定の閾値と比較するステップ（７３）と
を特徴とする、方法。
【請求項２】
前記ネットワークの切換ノード（３２）によって受信される光信号によって運ばれる署名が検出されることを特徴とする、請求項１に記載の方法。
【請求項３】
前記ルーティングエラーが検出される前記光信号を終端させるまたはネットワークから抽出するステップを特徴とする、請求項１または２に記載の方法。
【請求項４】
単一の波長を有する光信号によって運ばれる署名が検出されることを特徴とする、請求項１から３のいずれか一項に記載の方法。
【請求項５】
それぞれが、ネットワークの切換ノードに一意に関連する情報を含み、前記ネットワークの点で通過する光信号によって運ばれるノード署名を検出するように構成された分析手段（８０、８１）を備えたトランスペアレント光ネットワーク用光接続経路監視装置であって、
前記分析手段が、前記検出されたノード署名からホップの数を判断するように構成された演算手段（８１）と、所定の閾値を超えた場合に前記光信号に関連するルーティングエラーを検出するために前記ホップの数を前記閾値と比較するように構成されたエラー検出手段（８２）とを含んでいるということを特徴とする、装置。
【請求項６】
前記演算手段が、検出された別個のノード署名の数としてホップの数を判断することを特徴とする、請求項５に記載の装置。
【請求項７】
複数のノード署名および複数のノード署名それぞれに関連するそれぞれの切換ノードを特定する署名ディレクトリ（８２）を含み、前記演算手段が前記ホップの数を判断するために前記署名ディレクトリと協働するように構成されていることを特徴とする、請求項５または６に記載の装置。
【請求項８】
前記分析手段が、ネットワーク内を通過する波長のマルチプレックスから１つまたは複数のチャネルを分離し、その署名を検出しなければならない光信号として前記１つまたは複数の波長チャネルを供給する光学フィルタリングモジュール（６６）を含んでいることを特徴とする、請求項５から７のいずれか一項に記載の装置。
【請求項９】
トランスペアレント光ネットワークの切換ノード（３２）用光接続経路監視装置であり、前記切換ノードが前記切換ノードに一意に関連する情報を含む少なくとも１つのノード署名で光信号をマーキングするように構成された処理手段（４６、４７）と、前記マーキングされた光信号を前記ネットワーク内に伝達するように構成された少なくとも１つの光学出力（４２）と、ネットワーク（３３）の光ラインに結合されるように構成された少なくとも１つの光学入力（４１）と、前記少なくとも１つの入力を前記少なくとも１つの出力に結合させる切換手段（４３）とを含み、前記光信号がマーキングされる１つまたは複数の署名を検出するために前記処理手段の上流側の前記切換ノードによって受信される光信号を分析するように構成された分析手段を備えた装置であって、
前記分析手段（５０、５５）が、前記受信した光信号が前記処理手段の上流側で前記切換ノードに関連するノード署名によってマーキングされる場合にルーティングエラーを検出するために、前記切換ノードに関連する前記少なくとも１つのノード署名を調査するように構成されているということを特徴とする、装置。
【請求項１０】
前記分析手段が、波長を１つだけしか有していない光信号内の前記少なくとも１つのノード署名を調査するように構成されていることを特徴とする、請求項９に記載の装置。
【請求項１１】
前記分析手段が、波長のマルチプレックス内の前記少なくとも１つのノード署名を調査するように構成されていることを特徴とする、請求項９に記載の装置。
【請求項１２】
前記分析手段が、波長を１つだけしか有していない光信号内で前記少なくとも１つのノード署名が調査される単チャネル動作モードで、および波長のマルチプレックス内で前記少なくとも１つのノード署名が調査される多チャネル動作モードで選択的に機能するように構成された分析モジュール（５０）を含んでいることを特徴とする、請求項９に記載の装置。
【請求項１３】
前記分析手段が、切換ノードに関連する１つまたは複数の署名を記憶する記憶手段（４８）と協働することを特徴とする、請求項９から１２のいずれか一項に記載の装置。
【請求項１４】
前記ルーティングエラーが検出される前記光信号に関する警告信号を作り出すように構成された警告手段（５６）を備えていることを特徴とする、請求項５から１３のいずれか一項に記載の装置。
【請求項１５】
前記光信号が受信された切換ノード（３２）に関連しており、前記ルーティングエラー検出装置が前記ルーティングエラーが検出された前記光信号を終端させるまたは抽出するように前記切換ノードの切換装置（４３）に命令するように構成された制御手段（５７）を備えているということを特徴とする、請求項５から１４のいずれか一項に記載の装置。
【発明の詳細な説明】
【技術分野】
【０００１】
本発明は、トランスペアレント光ネットワークに関し、より正確には、切換ノードを介したこのようなネットワーク内に構成された光接続経路の追跡に関する。
【背景技術】
【０００２】
ここでは、「光接続経路」は、トランスペアレント光ネットワーク内に１つまたは複数の所与の波長で送信される１つまたは複数の光信号によってとられる物理的経路またはルートを意味する。この種類の物理的経路は、普通は光ファイバからなり、トランスペアレント通信ノードの対を接続させる光ライン部によって画定される。
【０００３】
さらに、ここでは「トランスペアレント光ネットワーク」は、信号が常に光学ドメイン内にあるネットワークのことを意味する。
【０００４】
さらに、ここでは「トランスペアレント切換ノード」は、上流側光ラインから来て、下流側光ラインを向いた多重化された波長または多重化される波長を備えたチャネルを切り換えることに関与する、トランスペアレントタイプの少なくとも１つの光学切換装置を含むネットワーク機器を意味している。
【０００５】
加えて、ここでは「マルチプレックス」は、同じ媒体を共同に利用する異なる波長を備えた１セットのチャネルを意味する。異なる波長に関連し、同じ媒体を共同に利用するチャネルはしたがって、多重化してマルチプレックスを構成することができる。光接続経路はしたがって、波長チャネルまたは波長マルチプレックス、特に同じ接続を形成する、すなわち単一の論理要素として処理される波長マルチプレックスに関連させることができる。トラフィックエンジニアリングを容易にするためには、異なるソースおよび／またはあて先を有する複数の波長チャネルを、共通部分上で単一の接続として処理するために、それぞれの物理的ルートのその共通部分上で統合させることができる。
【０００６】
当業者が知っているように、トランスペアレント光ネットワークの切換ノード間に構成された光接続経路がこれらの切換ノードの光学切換装置のそれぞれのプログラミング状態に適合しているかどうかをオペレータが知ることが特に重要である。あらゆる不適合性は、切換ノードの操作でのまたは光ライン部内でのプログラミングの問題により生じ、この問題は解決しなければならない。
【０００７】
上で言及した適合性を検証するために、ネットワークは「光接続経路追跡および検証」として知られている方法を利用する。この検証はしたがって、光接続経路の接続性、すなわち経路が正しいソースを正しいあて先に接続しているかどうかを検証する。非トランスペアレント光ネットワークでは、これは比較的容易である。というのは、制御トラフィックの追加により、各レシーバが各接続上の対応するソースに接続されていることを検証する光学／電気／光学タイプの信号変換が切換ノード内で行われるからである。
【０００８】
これは、光学／電気／光学タイプ信号変換がないことにより（光学切換装置は、物理層内で、より正確にはチャネルの波長に作用するので）、トランスペアレント光ネットワークの場合には当てはまらない。
【０００９】
この問題に対するいくつかの解決法が提案されている。
【００１０】
非トランスペアレントネットワーク内で起こることの推定である第１の解決法は、様々な光接続経路のソースとあて先の間の一致を検査するために、制御トラフィックを光ラインに注入することからなる。この解決法は、帯域幅を消費し、あらゆるエラーの位置に関するあらゆる情報を伝達しないという重大な欠点を有し、これにより修復がより困難になる。
【００１１】
第２の解決法は、過変調によってチャネルに加えられる少なくとも１つの周波数をネットワーク内で使用される各信号ソース（したがって、各チャネル）に関連させることからなる。ネットワークの選択位置で波長を分析することにより、ネットワークマネージャによって供給される情報のおかげでどのチャネルが存在するかを調査するために加えられる１つまたは複数の過変調周波数が決まる。この情報は少なくとも、過変調周波数とチャネルの間の通信からなり、それによってこのチャネルによってとられるルートを決めることができる。この解決法は、特に「Ｗａｖｅｌｅｎｇｔｈ  Ｔｒａｃｋｅｒ（Ｒ）」の製品名でＴｒｏｐｉｃｓ社によって提案されている。
【００１２】
この第２の解決法は、ネットワークで使用されるチャネルと同じだけ、例えば可変光減衰器（ＶＯＡ）タイプの多くの処理モジュールの使用が必要である。可変光減衰器は、加えられるチャネルをトラフィックに過変調させるように、光学切換装置の各追加ポートの上流側に配置されている。これは、高い費用につながり、新しいチャネルに加えられるように使用しなければならない新しい過変調周波数により、特定の寸法のネットワークがより大きな寸法（「拡張可能性」として知られている）のネットワークに変換される場合に問題を生じさせる。
【００１３】
ＵＳ２００３／００９９０１０は、各ノードが光信号が入る光ファイバの署名を使用してノードから離れるこれらの光信号を変調する符号器を備えている、波長分割多重光ネットワークのパフォーマンスの監視システムを提案している。このシステムは、ファイバ内の断線、増幅器障害または中継器障害を検出するために、各署名に関連する信号の電力を測定する。どのチャネルがどのファイバを通して通過中であるかを判断するために、ＵＳ２００３／００９９０１０は、ファイバ署名、およびネットワークの様々な点でのチャネル署名の存在を共に監視することを教示している。
【００１４】
ＥＰ１３４７５９１は、検証装置がネットワーク要素に一意に割り当てられる署名の存在を検出する、波長分割多重光ネットワークの障害検出システムを提案している。リンクまたはネットワーク要素の障害を検出するためには、システムはネットワークの正しい画像に関して、検証装置によって検出される情報を処理する。ネットワークの正しい画像は、ネットワークマネージャによって作成および更新される。
【先行技術文献】
【特許文献】
【００１５】
【特許文献１】米国特許出願公開第２００３／００９９０１０号明細書
【特許文献２】欧州特許出願公開第１３４７５９１号明細書
【非特許文献】
【００１６】
【非特許文献１】Ｔ．Ｄｕｃｅｌｌｉｅｒ他、「Ｔｈｅ  ＭＷＳ  １×４：Ａ  Ｈｉｇｈ  Ｐｅｒｆｏｒｍａｎｃｅ  Ｗａｖｅｌｅｎｇｔｈ  Ｓｗｉｔｃｈｉｎｇ  Ｂｕｉｌｄｉｎｇ  Ｂｌｏｃｋ」、ＥＣＯＣ２００２年会議、コペンハーゲン、２００２年９月９日、２．３．１
【非特許文献２】「Ｒｅｄｕｃｔｉｏｎ  ｏｆ  Ｆｏｕｒ−Ｗａｖｅ  Ｍｉｘｉｎｇ  Ｃｒｏｓｓｔａｌｋ  ｉｎ  ＷＤＭ  Ｓｙｓｔｅｍｓ  Ｕｓｉｎｇ  Ｕｎｅｑｕａｌｌｙ  Ｓｐａｃｅｄ  Ｃｈａｎｎｅｌｓ」、ＩＥＥＥフォトニック技術レター、第６巻、７５４−７５６ページ（１９９４年）
【発明の概要】
【発明が解決しようとする課題】
【００１７】
本発明の目的は、トランスペアレント光ネットワーク内の他のタイプのエラー、特に波長チャネルに影響を与えるルーティングエラー、ネットワーク管理プレーンレベルでの構成エラー、およびハードウェアまたは人的原因を有する可能性があるエラーを検出する方法および装置を提案することである。本発明の別の目的は、トランスペアレント光ネットワークのエラーを迅速におよび経済的に検出する方法および装置を提案することである。
【課題を解決するための手段】
【００１８】
この目的のため、本発明の第１の態様は、複数の切換ノードのそれぞれが前記切換ノードの上流側のリンクから前記切換ノードの下流側のリンクまで光信号を透過的に通過させ、前記光信号を前記切換ノードに一意に関連する情報を含むノード署名でマーキングするようにそれぞれ構成された、トランスペアレント光ネットワーク用の光接続経路監視方法であり、前記ネットワークの点で通過している光信号がこれによりマーキングされるノード署名を検出するステップを含んでいる方法であって、
前記検出されたノード署名からホップの数を判断するステップと、
前記閾値を超えた場合に前記光信号に関するルーティングエラーを検出するように、前記ホップの数を所定の閾値と比較するステップと
を特徴とする方法を提供する。
【００１９】
この種類の方法のおかげで、ノード署名を使用して、ＩＰ（インターネットプロトコル）パケットの有効期間（ＴＴＬ）パラメータによって提供されるものと同様の機能を得ることができる。例えば、この方法は、光信号がネットワーク内で道に迷うこと、または光信号はそれとは異なるネットワークセクタに到達する危険がある、および／またはしたがって意図していないクライアントに伝達される危険がある可能性があるということを検出することができる。この検出により、ローカルな修正措置を切換ノードでとることができる、および／またはネットワークの他の点で修正措置をとるために、ネットワーク管理システムに警告することができる。例えば、ホップの数は、光信号をマーキングする異なるノード署名の数として、または検出された署名によって示される異なる通信ノードの数として判断することができる。
【００２０】
所定の閾値は、ネットワークの接続形態に応じて、例えばホップ数として示されるネットワークの直径に応じて固定することができる。光ネットワークの接続形態は一般的には頻繁に展開しないので、この閾値を頻繁に更新する必要がなくなる。エラー検出はしたがって基本的にローカルであり、ネットワーク全体の知識を有するネットワークマネージャとの集中的な相互作用を必要としない。
【００２１】
この方法は、ネットワークのあらゆる点で実施することができる。前記ネットワークの切換ノードによって受信される光信号によって運ばれる署名が、検出されることが好ましい。
【００２２】
この方法の特定の実施形態は、前記ルーティングエラーが検出される前記光信号を終端させる、またはこれをネットワークから抽出するステップを含んでいる。例えば、この抽出または終端は、エラーが検出されるネットワークの点に隣接する切換ノードで、または検出が行なわれる切換ノードで行なうことができる。
【００２３】
１つの波長しか有さない光信号によって運ばれる署名が、検出されることが好ましい。代替実施形態は、同じ接続に属する、すなわちネットワーク内で共に切り換えられ、したがって同じポートおよび同じ接続を通る共通の経路をとる複数の波長を含む光信号によって運ばれる署名を検出する。例えば、この実施形態では、波長は全て共にネットワーク内で切り換えられた波長の帯域に属する。
【００２４】
全ての場合において、署名を検出しなければならない光信号を得るために、ネットワーク内を通過する波長のマルチプレックスの１つまたは複数のチャネルを分離させるステップを提供することができる。
【００２５】
本発明はまた、
それぞれが、ネットワークの切換ノードに一意に関連する情報を含み、前記ネットワークの点で通過する光信号によって運ばれるノード署名を検出するように構成された分析手段を備えたトランスペアレント光ネットワーク用光接続経路監視装置であって、
前記分析手段が、前記検出されたノード署名からホップの数を判断するように構成された演算手段と、所定の閾値を超えた場合に前記光信号に関連するルーティングエラーを検出するために前記ホップの数を前記閾値と比較するように構成されたエラー検出手段とを含んでいるということを特徴とする装置を提供する。
【００２６】
演算手段は、検出された別個のノード署名の数としてホップの数を判断することが好ましい。この実施形態は、例えば１つの署名しか各ノードに割り当てられないネットワークに適合する。
【００２７】
特定の一実施形態では、装置は、複数のノード署名および複数のノード署名それぞれに関連するそれぞれの切換ノードを特定する署名ディレクトリを含み、前記演算手段は前記ホップの数を判断するために前記署名ディレクトリと協働するように構成されている。このように、演算手段は、他の署名のうちノード署名を特定し、および／またはノード詳細、例えばノードが交差する光信号を複数の署名でマーキングするということを考慮することができる。ここで、「署名ディレクトリ」は、ノード署名とノードの間の関連を特定する参照情報を意味する。この情報は、例えばテーブルの形またはいくつかの他の形の演算手段に利用可能にされる。
【００２８】
装置は有利には、前記ルーティングエラーが検出される前記光信号に関する警告信号を生成するように構成された警告手段を備えている。例えば、警告信号はネットワーク管理システムに対して生成することができる。ここで「ネットワーク管理システム」は、ネットワークの切換ノードに接続された集中システム、または例えばネットワークの複数の切換ノード間で分散される複数の管理モジュールを含む分散システムを意味する。
【００２９】
特定の一実施形態では、装置は前記光信号が受信される切換ノードに関連しており、前記装置は前記ルーティングエラーが検出される前記光信号を終端させるまたは抽出するように前記切換ノードの切換装置に命令するように構成された制御手段を備えている。
【００３０】
分析手段は有利には、ネットワーク内を通過する波長のマルチプレックスの１つまたは複数のチャネルを分離し、その署名を検出しなければならない光信号により、前記１つまたは複数の波長チャネル、特に同じ接続に属する複数のチャネルを供給する光学フィルタリングモジュールを含んでいる。例えば、光学フィルタリングモジュールは、チャネル逆多重化装置、帯域逆多重化装置、または同調フィルタを含んでいる。
【００３１】
本発明の第２の態様は、トランスペアレント光ネットワークの切換ノード用光接続経路監視装置であり、前記切換ノードが前記切換ノードに一意に関連する情報を含む少なくとも１つのノード署名で光信号をマーキングするように構成された処理手段と、前記マーキングされた光信号を前記ネットワーク内に伝達するように構成された少なくとも１つの光学出力と、上流側光ラインに結合されるように構成された少なくとも１つの光学入力と、前記入力の少なくとも１つを前記出力の少なくとも１つに結合させる切換手段とを含み、前記光信号がマーキングされる１つまたは複数の署名を検出するために前記処理手段の上流側の前記切換ノードによって受信される光信号を分析するように構成された分析手段を備えた装置であって、前記分析手段が、前記受信した光信号が前記処理手段の上流側で前記切換ノードに関連するノード署名によってマーキングされる場合にルーティングエラーを検出するために、前記切換ノードに関連する前記少なくとも１つのノード署名を調査するように構成されているということを特徴とする装置を提供する。
【００３２】
ノードに関連するノード署名が１つしかない場合、分析手段はその署名が光信号内に存在するかどうかを検出するように構成されている。ノードに関連する複数のノード署名がある場合、分析手段はこれらの署名のいずれかが存在するかどうかを検出するように構成されていることが好ましい。したがって、ネットワーク内のループ状ルートをとる際に切換ノードを２回通過する光信号の存在を検出することが可能である。この検出により、ローカルな修正措置を切換ノードでとることができる、および／またはネットワークの他の点で修正措置をとるために、ネットワーク管理システムに警告することができる。またここでは、エラー検出は基本的にローカルであり、ネットワークの全体の知識を有するネットワークマネージャとの前もった相互作用を必要としない。
【００３３】
装置は有利には、前記ルーティングエラーが検出される前記光信号に関する警告信号を生成するように構成された警告手段を備えている。例えば、警告信号はネットワーク管理システムに対して生成することができる。ここで「ネットワーク管理システム」は、ネットワークの切換ノードに接続された集中システム、または例えばネットワークの複数の切換ノード間に分散される複数の管理モジュールを含む分散システムを意味する。
【００３４】
特定の一実施形態では、装置は前記光信号が受信される切換ノードに関連しており、前記装置は前記ルーティングエラーが検出される前記光信号を終端させるまたは抽出するために前記切換ノードの切換装置に命令するように構成された制御手段を備えている。
【００３５】
分析手段は、波長を１つだけしか有していない光信号内の前記少なくとも１つのノード署名を調査するように構成されていることが好ましい。
【００３６】
別の実施形態では、分析手段は波長のマルチプレックス内の前記少なくとも１つのノード署名を調査するように構成されている。
【００３７】
分析手段は有利には、波長を１つだけしか有していない光信号内で前記少なくとも１つのノード署名が調査される単チャネル動作モードで、および波長のマルチプレックス内で前記少なくとも１つのノード署名が調査される多チャネル動作モードで選択的に機能するように構成された分析モジュールを含んでいる。
【００３８】
分析手段は、記憶手段、例えば切換ノードに関連する１つまたは複数の署名を記憶するメモリと協働することが好ましい。
【００３９】
本発明によれば、上でおよびこれ以下に言及する光接続経路監視装置は、第１に多重化チャネルのトランスポート専用の上流側光ラインによって結合されるように構成された少なくとも１つの入力ポートと、第２に少なくとも１つの出力（多重化チャネルのトランスポート専用の下流側光ラインに結合されるように構成された出力ポートまたはドロップポート）と、第３に各入力ポートを各出力に結合させる切換手段とを備えたトランスペアレント光ネットワークの切換ノード用光学切換装置と組み合わせることができる。
【００４０】
この光学切換装置は、切換ノードの各入力ポートに到達するチャネルに少なくともその切換ノードを示す第１の情報を含む署名を加える役割を担う処理手段をさらに備えていることを特徴とする。
【００４１】
ここで「署名」は、そのチャネルの、または所与の位置でのそのマルチプレックスを構成するチャネルの通過をマーキングするチャネルまたはマルチプレックスに加えられるあらゆる変更を意味する。
【００４２】
光学切換装置は、特に別個にまたは組み合わせて、他の特性を有することができる。
【００４３】
その処理手段は、１つのチャネルまたは各チャネル（または、１つのマルチプレックスまたは各マルチプレックスの１つのチャネルまたは各チャネル）に、独自の切換ノードを示す第１の情報およびチャネルを受けた入力ポートを示す第２の情報を含む署名を加える役割を担うことができる。
【００４４】
その処理手段は、独自の切換ノードを示す選択周波数（第１の情報を形成する）での同じ振幅過変調を、各入力ポートによって受ける１つのチャネルまたは各チャネル（または、１つのマルチプレックスまたは各マルチプレックスの１つのチャネルまたは各チャネル）に加える役割を担うことができる。
【００４５】
その処理手段は、例えば、異なる入力（および追加）ポートによって受けられるチャネルに加えられる第１の情報（過変調に適用可能な場合）に、それぞれこれらの入力（または追加）ポートを示す異なる周波数でのまたは異なる相対位相での（第２の情報を形成する）振幅過変調を加える役割を担うことができ、ポートは例えば過変調周波数を変調することによってＦＳＫコードによって特定することができる。
【００４６】
その処理手段は、少なくとも入力ポートの数に等しく、それぞれ対応する入力ポートによって受けられるチャネルに署名を加える役割を担ういくつかの処理モジュールを含むことができる。
【００４７】
その処理手段は、追加モジュールに結合された追加ポートによって導入されるチャネルに信号を追加する役割を担う少なくとも１つの追加の処理モジュールを含むことができる。
【００４８】
その処理手段は、追加ポートの数に等しく、それぞれ対応する追加ポートによって導入されるチャネルに署名を追加する役割を担ういくつかの追加の処理モジュールを含むことができる。
【００４９】
各処理モジュールは、例えば電気制御された可変光減衰器の形をとることができる。
【００５０】
独自の切換ノードの処理手段によってこれらに加えられた署名を判断するために、出力の１つまたは少なくともいくつかによって運ばれるチャネルを分析する役割を担う分析手段を同様に含むことができる。
【００５１】
これらの分析手段は、切換装置の物理的状態と前記チャネルが前記切換装置に到達しなければならない前記出力および入力ポートに運ばなければならないチャネルを規定するプログラミング状態の間の通信を検証し、通信がない場合に警告メッセージを生成するために、出力によって運ばれるチャネルおよび切換装置の前記処理手段によって前記チャネルそれぞれに加えられた署名の判断に基づき、切換装置の物理的状態を判断する役割を担うことができる。
【００５２】
これらの分析手段は、それら自体を含む、これを通して通過した各切換ノードの処理手段によって追加された各署名を判断するために、出力によって運ばれるチャネルを分析する役割を担うことができる。
【００５３】
これらの分析手段は、それら自体を含む、これを通して通過した各切換ノードの処理手段によってチャネルまたは各チャネルの第１の情報に加えられる第２の情報を分析する役割を担うことができる。
【００５４】
これらの分析手段は、例えば分析される出力チャネルの数に等しく、それぞれ対応する出力によって受けられる１つまたは複数のチャネルを分析する役割を担ういくつかの分析モジュールを含むことができる。
【００５５】
別法では、分析されるそれぞれの出力に結合された入力と、少なくとも１つの出力と、スイッチの出力に結合された入力を含むプール状分析モジュールを含む、分析される出力の１つによって受けられ、スイッチによって選択される１つまたは複数のチャネルを分析する役割を担う分析手段とを備えたスイッチを設けることができる。
【００５６】
各分析モジュールは、例えば対応する出力によって運ばれる１つまたは複数のチャネルを分離させる役割を担う光学フィルタリングサブモジュールと、各チャネルを電気信号に変換する役割を担う少なくとも１つの光学／電気変換サブモジュールと、各別個のチャネルに加えられた各署名を特定する役割を担う電気分析サブモジュールとを備えることができる。
【００５７】
その処理手段は、署名をマルチプレックスの全てのチャネルの同時に加える役割を担うことができる。
【００５８】
その切換手段は、第１にそれぞれ入力ポートの１つに結合された第１のポートおよびそれぞれ第１の入力によって受けられる多重化チャネルの少なくとも１つを運ぶように構成されたＭ個の第１の出力を有するＮ個のブロードキャストモジュールを含む第１のステージと、第２にそれぞれ少なくとも１つの波長チャネルを受けるように構成されたＮ個の第２の入力および出力の１つを構成する出力ポートに結合され、第２の入力の１つで受けられる少なくとも１つのチャネルを運ぶように構成された第２の出力をそれぞれ有するＭ個の結合モジュールを含む第２のステージと、第３にＮ個のブロードキャストモジュールのそれぞれがＭ個の結合モジュールそれぞれに結合されるように、少なくとも第１の出力を第２の入力に結合させる少なくともＮ×Ｍ個の光リンクを含む第３のステージとを含むことができる。
【００５９】
例えば、これらのブロードキャストモジュールは、例えばＷＳＳタイプの、１つの入力およびＭ個の出力を備えた光結合器および波長選択モジュールから選択することができる。
【００６０】
例えば、これらの結合モジュールは、例えばＷＳＳタイプの、Ｎ個の入力および１つの出力を備えた光結合器および波長選択モジュールから選択することができる。いずれかの機能モジュールは非選択的タイプであり、選択的タイプのブロードキャストモジュールまたは結合モジュールは選択的タイプおよび非選択的または選択的タイプのブロードキャストモジュールであることに留意する。
【００６１】
本発明の第３の態様は、トランスペアレント光ネットワーク用の光接続経路監視方法であって、
ネットワークの少なくとも１つの要素内で、ネットワークの前記要素内を通過する光信号をネットワークの前記素子に一意に関連する通過点署名でマーキングするステップと、
ネットワークの要素を通過する波長のマルチプレックスによって運ばれる通過点署名を検出するステップと、
検出した通過点署名で前記波長のマルチプレックスに影響を与える異常な状態を調査するステップと、
前記波長のマルチプレックスに影響を与える異常な状態の検出に応じて、前記波長のマルチプレックスの波長のサブセットを分離し、前記波長のサブセットに影響を与える接続不良を調査するステップと
を特徴とする方法を提供する。
【００６２】
ここで、ネットワーク要素とは、ネットワーク内の規定の位置を有し、透過的に通過するまたは光信号をネットワーク内に発するように構成された、単純または複合、局所または拡張のあらゆるハードウェア要素、例えば、切換ノード、入力ポート、出力ポート、追加ポート、ドロップポート、導波路または光ファイバなどの光リンク、モノクロ光信号のソース、波長分割多重化光信号のソースなどのことを言う。
【００６３】
ネットワークのそれぞれの要素に一意に関連する通過点署名の場合、例えば通過点署名がマルチプレックス上でマーキングされる場合、複数の波長チャネルによって同じ署名を運ぶことができる。上に示したように、波長の前の逆多重化は普通は、例えばそのチャネルまたはチャネルのグループによって運ばれる通過点署名の助けをかりて、１つまたは複数の波長チャネルに影響を与えるルーティング異常を特定するのに必要である。次に、各波長チャネルによって運ばれる署名の同時検出は個別に、多数の検出装置、すなわち存在するチャネルと同じ数を必要とし、それにより不利なハードウェア費用および全体寸法を示す。別法では、単一の同調検出装置による各波長チャネルによって運ばれる署名の連続検出には長い時間が必要である。本発明のこの態様の基本的概念は、ルーティング異常が、少なくとも部分的に全体で波長のマルチプレックスによって運ばれる通過点署名の助けをかりて検出可能である状況が存在するということである。したがって、多数の署名検出装置を必要とすることなく、それにも関わらず、例えば迅速に警告を発する、または修正動作、例えば関連する光信号用の保護経路または保護構成部品の作動を準備または実行するために、これらの場合にスペクトルマルチプレックスの少なくとも特定のチャネルに影響を与えるルーティング異常の表示を迅速に得ることが可能である。これらの警告、準備または保護措置を行なうことができ、異常のより洗練された特徴化が行なわれ、チャネルのスペクトルの複数の部分の連続処理が必要である。波長のサブセットはそれぞれの場合で、単一の波長チャネルまたは複数の波長チャネル、例えばスペクトル帯域を含むことができる。さらに、検出される異常状態の性質は、波長のサブセットに関して調査される障害のタイプの表示として使用することができる。
【００６４】
第１の実施形態では、前記波長のマルチプレックスによって運ばれる通過点署名が連続した時間で検出され、前記異常状態の調査は検出された通過点署名の時間にわたる変化を検出するステップを含んでいる。この実施形態の利点は、監視における接続経路の変化の場合に迅速に警告をトリガすることが可能であることである。
【００６５】
前記異常状態は、ネットワーク内での光接続経路のプログラミングから非相関された通過点署名の変化を含むことが好ましく、前記異常状態の調査は、検出された変化に対応する再構成指示を探してネットワークの光接続経路のプログラミングを調査するステップを含んでいる。例えば、この場合、波長の１つのまたは各サブセットに関して調査された障害は、上で言及した異常状態と同じ種類、例えば波長のサブセットの署名の変化、または測定点での波長チャネルの出現または消滅であってもよい。調査される障害はまた、ネットワークのプログラミングと一致しない切換状態が存在することである可能性もある。逆に、再構成指示が署名の変化に対応して検出される場合、異常状態または対応する障害は検出されない。この場合、ネットワークの制御プレーンによって受けられる再構成指示のデータプレーン内での正しい実行を確認し、適当な場合ネットワークの管理システムに確認信号を送信する方法を使用することができる。
【００６６】
第２の実施形態では、通過点署名は、処理手段に割り当てられた少なくとも１つの通過点署名で光信号をマーキングするように構成された該処理手段の方向に案内された前記光信号に対して検出され、前記異常状態は、前記処理手段の上流側の前記光信号における、前記処理手段に割り当てられた通過点署名の存在を含んでいる。この実施形態は、ループ状接続経路の存在を検出する。この場合、波長の１つまたは各サブセットに関して調査される障害は、上に記載した異常状態と同じ種類、すなわち前記波長のセットに対するループ状接続経路の存在であってもよい。
【００６７】
この方法は有利には、前記波長のマルチプレックス内の別の波長のサブセットを選択するステップ、および前記波長の他のサブセットに影響を与える障害を調査するステップを含んでいる。例えば、波長のサブセットを選択するステップ、および障害を調査するステップは、前記波長のマルチプレックスの波長チャネル全てに加えられるのに合わせて繰り返される。別法では、これらのステップは、前記異常状態を生じさせる障害が波長のサブセットに関して検出されるまで繰り返すことができる。
【００６８】
この方法は有利には、波長の前記または各別個のサブセットによって運ばれる通過点署名を検出するステップを含んでおり、障害調査は前記波長のサブセット内で検出された通過点署名に基づき行なわれる。
【００６９】
通過点署名は、光信号の振幅過変調によってマーキングされることが好ましく、通過点署名の検出は光信号によって運ばれる振幅過変調のスペクトルを測定するステップを含んでいる。このスペクトルは、ネットワーク内で使用される周波数に応じて選択される、所定のセットの周波数、例えば所定の範囲の周波数に対して測定することができる。他のタイプの署名が利用される場合、分析手段はそれに応じて適応される。
【００７０】
この方法は有利には、前記波長のマルチプレックスに影響を与える異常状態の検出に応じて、ネットワークの管理システムに警告信号を送信するステップを含んでいる。
【００７１】
本発明の第３の態様はまた、ネットワークの少なくとも１つの要素内を通過する光信号をネットワークの前記要素に一意に関連する通過点署名でマーキングするように構成された、ネットワークの前記要素内に処理手段を含むトランスペアレント光ネットワーク用光接続経路監視装置であって、
前記ネットワーク要素内を通過する波長のマルチプレックスによって運ばれる通過点署名を検出するためのネットワークの要素内の多チャネル分析手段であり、検出された通過点署名に基づき前記波長のマルチプレックスに影響を与える異常状態を調査するように構成された手段と、
前記波長のマルチプレックスの波長のサブセットを分離させる光学分離手段と、
前記波長の分離したサブセットに影響を与える障害を調査するように構成された別のチャネル分析手段と
を備えていることを特徴とする装置を提案している。
【００７２】
トリガ手段は有利には、前記波長のマルチプレックスに影響を与える異常状態の検出に応じて、前記障害調査を行なうように前記別のチャネル分析手段をトリガするように構成されている。
【００７３】
特定の一実施形態では、多チャネル分析手段は、検出された通過点署名の時間にわたる変化を検出する一時比較手段を備えている。
【００７４】
指示分析手段は、前記一時比較手段によって検出された通過点署名の変化に対応する再構成指示を探してネットワークの光接続経路のプログラミングを調査するように構成されていることが好ましい。
【００７５】
別の特定の実施形態では、多チャネル分析手段および前記別のチャネル分析手段は、処理手段に割り当てられた少なくとも１つの通過点署名で光信号をマーキングするように構成された該処理手段に向かって伝播する前記光信号内の署名を検出するように構成されており、前記多チャネル分析手段および前記別のチャネル分析手段は前記処理手段に割り当てられた前記少なくとも１つの通過点署名を調査するように構成されている。
【００７６】
本発明はまた、上に記載したように、光接続経路監視装置を備えた（Ｄ）ＷＤＭネットワーク用切換ノードを提案している。このような切換ノードは例えば、トランスペアレント光相互接続または再構成可能な光学追加／ドロップ多重化装置の形をとることができる。
【００７７】
本発明の他の特性および利点は、以下の詳細な説明を読み、添付の図面を検討して明らかになるだろう。
【図面の簡単な説明】
【００７８】
【図１】異なる実施形態の監視装置を設置することができる、光学切換装置の第１の実施形態の機能図である。
【図２】異なる実施形態の監視装置を設置することができる、光学切換装置の第２の実施形態の機能図である。
【図３】光経路監視装置が設置される、トランスペアレント光ネットワークの機能図である。
【図４】図３のネットワークの光切換ノードの機能図である。
【図５】図４の監視装置の分析モジュールの機能図である。
【図６】図４の監視装置によって実施される第１の監視方法を示すフロー図である。
【図７】図４の監視装置によって実施される第２の監視方法を示すフロー図である。
【図８】別の実施形態の監視装置を備えた光切換ノードの機能図である。
【図９】図８の監視装置によって測定される署名のスペクトルを示す図である。
【図１０】図８の監視装置によって測定される署名のスペクトルを示す図である。
【発明を実施するための形態】
【００７９】
添付の図面は、本発明の説明の一部を構成し、必要に応じて本発明の定義に述べる。
【００８０】
これ以下では非限定的な例により、必要に応じて追加および／またはドロップ機能を備えた切換ノードはトランスペアレント光相互接続（ＯＸＣ）、または光学追加／ドロップ多重化装置（ＯＡＤＭ）であると考えられる。より一般的には、切換手段はここでは、入力と出力の間で１つまたは複数の選択した波長を有する光信号を通過させる、または通過させないことを選択的に可能にする手段のことを言う。
【００８１】
図１および図２は、前記切換の上流側のリンクから前記切換ノードの下流側のリンクまで光信号を透過的に通過させ、前記光信号を切換ノードＮＣに一意に関連する情報を含むノード署名でマーキングするように構成された切換ノードＮＣの一実施形態を示している。
【００８２】
切換ノードＮＣは、それぞれの光入力ラインＦＥｉ（ｉ＝１からＮ）、例えば光信号スペクトルマルチプレックスまたは波長マルチプレックスとも呼ばれる、多重化チャネルが中で「循環する」光ファイバに結合されたＮ個の入力ポートを有する切換装置Ｄを含んでいる。図１および図２に示す例では、（例示的な例として）Ｎは４と等しいので、ｉという接尾辞は１から４までの値をとる。しかし、この接尾辞ｉは、切換装置Ｄの入力ポートの数Ｎによって設定されたこれらの値に限るものではない。１からＮの任意の値をとることができ、ここでＮは１以上である（Ｎ≧１）。
【００８３】
例えば、各入力光ファイバＦＥｉは、Ｒ個の光チャネルをトランスポートすることが可能である（Ｒ＞０）。
【００８４】
切換装置Ｄはまた、それぞれの出力光ラインＦＳｊ（ｊ＝１からＭ）、例えば光信号スペクトルマルチプレックスとも呼ばれる、多重化チャネルが中で「循環する」光ファイバに結合されたＭ個の出力ポートを有する切換装置Ｄを含んでいる。図１および図２に示す例では、（例示的な例として）Ｍは４と等しいので、ｊという接尾辞は１から４までの値をとる。しかし、この接尾辞ｊは、切換装置Ｄの出力ポートの数Ｍによって設定されたこれらの値に限るものではない。１からＭの任意の値をとることができ、ここでＭは１以上である（Ｍ≧１）。
【００８５】
Ｍ個の出力ポートがＭ個の出力を構成することに留意することが重要である。しかし、装置は、ドロップポートをそれぞれ画定する１つまたは複数の他の出力を有することができる（以下を参照）。したがって、ここでは出力は、出力光ラインＦＳｊに結合された出力ポート、またはドロップポートのいずれかを意味する。
【００８６】
切換装置Ｄはまた、第１、第２および第３のステージＥ１、Ｅ２およびＥ３に機能的に分解することができる切換モジュールＭＣを含んでいる。図１および図２を参照して記載するようなものだけではなく、あらゆるタイプの切換モジュールＭＣを考えることができる。
【００８７】
第１のステージＥ１（図１および図２に示す）は、それぞれ少なくとも１つの第１の入力およびＭ個の第１の出力を有するＮ個のブロードキャストモジュールＭＤｉ（ｉ＝１からＮ）を含んでいる。上に示したように、図１および図２に示す例では、ＮおよびＭは４と等しい（Ｎ＝４、Ｍ＝４）が、同様に、Ｍ、Ｎは１以上の任意の数をとることができる（Ｎ≧１、Ｍ≧１）。
【００８８】
各第１の出力は、切換装置Ｄの入力ポートに、したがって入力光ラインＦＥｉに結合されることを意図している。
【００８９】
各ブロードキャストモジュールＭＤｉは、そのＭ個の第１の出力の１つまたは複数にそれぞれの波長に応じてその入力（入力光ラインＦＥｉに結合された）で受ける、多重化光チャネルを切り換える役割を担っている。すなわち、ブロードキャストモジュールＭＤｉは、そのＭ個の第１の出力のそれぞれに、その単一の入力で受けたマルチプレックスの１つまたは複数の（または、全ての）光チャネルを運ぶことを可能にする「内部ルーティング」機能を与える。
【００９０】
図１および図２に示す例では、各ブロードキャストモジュールＭＤｉは、ノードＮＣの１つまたは複数のチャネルＲ１またはＲ２のドロップモジュールのドロップポート（または出力）に結合された第１のドロップ出力を有する。ドロップモジュールＲ１およびＲ２は代わりに、切換装置Ｄの一部を形成することができる。さらに、図１および図２は２つの別のドロップモジュールを示しているが、これらは単一のモジュールに組み合わせることができる。この第１のドロップ出力は、ローカル処理および／またはノードＮＣに接続された少なくとも１つの端末への伝達のために、入力ラインＦＥｉのいずれかによってトランスポートされる１つまたは複数のチャネル内に含まれる信号をノードＮＣで回復させる。
【００９１】
図１に示す第１の例では、ブロードキャストモジュールＭＤｉは非選択的なタイプである。これらは、例えばその第１の入力で受けられる光チャネル全てを第１の出力それぞれに運ぶ役割を担っている光結合器（または、「光スプリッタ」）である。
【００９２】
ブロードキャストモジュールは代わりに、選択的タイプである可能性がある。これは、特に図２に示す第２の実施形態の場合に当てはまる。この場合、これらは導入部に記載したものと同様に、ＷＳＳタイプの波長選択モジュール（ＭＤ’ｉ）を構成する。これらの波長選択モジュールＭＤ’ｉは、制御入力に応じて調節可能であり、そのＭ個の第１の出力それぞれに第１の入力で受けられる光チャネルから選択された光チャネル、または第１の入力で受けられるマルチプレックスの光チャネルから選択された１セットの光チャネルからなるマルチプレックスのいずれかを特定の制御入力に応じて運ぶことができる。第１の入力で受けられる各チャネルは単一の第１の出力にのみ分散することができることに留意することが重要である。チャネル選択は、集積フィルタにより内部で行なわれる。
【００９３】
ＷＳＳモジュールは、特にＴ．Ｄｕｃｅｌｌｉｅｒ他、「Ｔｈｅ  ＭＷＳ  １×４：Ａ  Ｈｉｇｈ  Ｐｅｒｆｏｒｍａｎｃｅ  Ｗａｖｅｌｅｎｇｔｈ  Ｓｗｉｔｃｈｉｎｇ  Ｂｕｉｌｄｉｎｇ  Ｂｌｏｃｋ」、ＥＣＯＣ２００２年会議、コペンハーゲン、２００２年９月９日、２．３．１により論文で説明されている。
【００９４】
ＷＳＳタイプの波長選択モジュールは有利である。というのは、特に、これらは出力の数（Ｍ）が４より大きい場合に、単純結合器によって生じるものと比べて低い挿入損失を生じるからである。
【００９５】
第２のステージＥ２（図１および図２に示す）は、Ｎ個の第２の入力、および切換装置ＤのＭ個の出力ポートの１つに、したがってＭ個の出力光ラインＦＳｊの１つに結合された少なくとも１つの第２の出力をそれぞれ有するＭ個の結合モジュールＭＦｊを含んでいる。
【００９６】
各結合モジュールＭＦｊは、１つまたは複数の第２の出力で、そのＮ個の第２の入力で受けられる光チャネルから選択される光チャネル、またはそのＮ個の第２の入力で受けられる光チャネルから選択される１セットの光チャネルからなるマルチプレックスのいずれかを供給する内部ルーティング機能（必要に応じて、プログラム可能である）を提供する。
【００９７】
図１および図２に示す例では、各結合モジュールＭＦｊは、ノードＮＣの１つまたは複数のチャネルＴ１またはＴ２の追加モジュールに結合された第２の追加入力を有する。挿入モジュールＴ１およびＴ２は代わりに、切換装置Ｄの一部である可能性がある。さらに、図１および図２は、２つの別の追加モジュールを示しているが、これらは単一のモジュールにグループ化することができる。この第２の追加入力により、必要に応じて他の第２の入力の少なくとも１つによって受けられる他のチャネルで多重化するために、関連する結合モジュールＭＦｊに１つまたは複数のチャネルを供給することが可能になる。
【００９８】
図１および図２に示す例では、結合モジュールＭＦｊは選択的タイプである。これらは、例えば上および導入部に記載したものなどの、ＷＳＳタイプの波長選択モジュールである。この場合、これらは制御入力に応じて調節可能であり、その単一の第２の出力で、Ｎ個の第２の入力で受けられる光チャネルから選択された光チャネル、またはＮ個の第２の入力で受けられる光チャネルから選択された１セットの光チャネルからなるマルチプレックスのいずれかを特定の制御入力に応じて運ぶことができる。
【００９９】
しかし、これらは代わりに、非選択的タイプである可能性がある。この場合、これらは例えば、そのＮ個の第２の入力で受けられる光チャネル全てからなるマルチプレックスを１つまたは複数の第２の出力で運ぶ役割を担っている光結合器を構成する。
【０１００】
一般的に、結合モジュールは非選択的タイプまたは選択的タイプであり、ブロードキャストモジュールは非選択的または選択的タイプであってもよい。
【０１０１】
第３のステージＥ３（図１および図２に示す）は、Ｎ個のブロードキャストモジュールＭＤｉ（またはＭＤ’ｉ）の１つのＭ個の第１の出力の１つをＭ個の結合モジュールＭＦｊの１つのＮ個の第２の入力の１つにそれぞれ結合させる、少なくともＮ×Ｍ個の光リンクＬを含んでいる。図１および図２に示すように、第３のステージＥ３はまた、Ｎ個のブロードキャストモジュールＭＤｉ（またはＭＤ’ｉ）の１つの第１の出力の１つをドロップモジュールＴ１、Ｔ２の１つのドロップポート（または出力）に、または追加モジュールＲ１、Ｒ２の１つをＭ個の結合モジュールＭＦｊの少なくとも１つの第２の（追加）入力に結合させる、光リンクＬを含むことができる。
【０１０２】
ブロードキャストモジュールＭＤｉ（またはＭＤ’ｉ）は、結合モジュールＭＦｊが複数の第２の追加入力を有することができるのと同様に、複数の第１のドロップ出力を有することができることに留意することが重要である。
【０１０３】
ブロードキャストモジュールＭＤｉが全て光結合器（光スプリッタ）であり、結合モジュールＭＦｊが全て波長選択モジュール（例えば、ＷＳＳタイプの）である、切換モジュールＭＣの第１の実施形態を上に（図１を参照して）記載し、ブロードキャストモジュールＭＤ’ｉおよび結合モジュールＭＦｊが全て波長選択モジュール（例えば、ＷＳＳタイプの）である、切換モジュールＭＣの第２の実施形態を（図２を参照して）記載した。しかし、ブロードキャストモジュールが全て波長選択モジュール（例えば、ＷＳＳタイプの）であり、結合モジュールが全て光結合器である、少なくとも１つの第３の実施形態を同様に考えることができる。
【０１０４】
本発明は、特に図１および図２を参照して上に記載した切換ノードの例に限るものではない。したがって、他の実施形態の切換モジュールＭＣは、１つまたは複数の逆多重化装置の形で配置された第１のステージＥ１（必要に応じて、ドロップチャネルに適合される）と、１つまたは複数の多重化装置の形で配置された第２のステージＥ２（必要に応じて、追加チャネルに適合される）と、（１つまたは複数の）逆多重化装置の第１の出力を（１つまたは複数の）多重化装置の第２の入力に接続させる切換マトリックスの形で配置された第３のステージＥ３とを含むことができる。
【０１０５】
切換装置Ｄはまた、中に設置される少なくとも切換ノードＮＣを示す署名を各入力（および／または追加）ポートに到達する各チャネルに（または、マルチプレックスのチャネルのそれぞれに）加えるように構成された、その切換ノードＮＣの入力ポートそれぞれに処理手段ＭＴｉを備えている。
【０１０６】
したがって、光接続経路をとる各チャネルは、「交差する」（またはトラフィックに追加する）各ノードＮＣ内で、ノードＮＣを示す第１の情報を含む署名を追加した。すなわち、各チャネルは、それがとる光接続経路の各ノードを通るその通過の軌跡をもっている。その後、これ以下に説明するように、とった経路を再構成するために（ローカル分析モード）各チャネルに加えられた各署名を各ノードで判断する、またはチャネルによってとられる光接続経路の「最後の」ノード内でその光接続経路の各ノードによって加えられた各署名を判断することが可能である。
【０１０７】
いずれの光学／電気／光学変換も伴なわない場合、ノードＮＣを示すことができるあらゆるタイプの署名を、そのノードＮＣの処理手段ＭＴｉによってチャネルに追加することができる。
【０１０８】
ここで、「署名」は、そのチャネルまたはそのマルチプレックスを構成するチャネルの所与の位置での通過をマーキングするためにチャネルまたはマルチプレックスに加えられる任意の変更のことを意味することに留意されたい。
【０１０９】
処理モジュールＭＴｉは、マルチプレックスのチャネル全てに署名を同時に加えるように構成されていることが好ましい。
【０１１０】
例えば、ノードＮＣの処理手段ＭＴｉは、各入力ポートによって受けられる各チャネルに、そのノードＮＣを示し第１の情報を形成する周波数ｆＮＣの同じ過変調を加えることができる。この場合、ネットワークの各ノードは、独自の過変調周波数（その「パイロットトーン」とも呼ぶ）を有していなければならない。
【０１１１】
各過変調周波数が少なくとも２つの規則を満たしていることが好ましい。
【０１１２】
第１に、各過変調周波数は、ネットワークの光ラインＦＥｉおよびＦＳｊ上に設置された増幅器に対してトランスペアレントがあるように十分高くなくてはならない。これは、増幅器がＥＤＦＡ（エルビウム添加ファイバ増幅器）タイプである場合に特に当てはまる。このタイプの増幅器は、変調周波数が第１の閾値より下である場合に増幅する信号を平滑にする。したがって、ＥＤＦＡを通過する際に過変調を維持するために、その過変調周波数は第１の閾値より上でなければならない。各過変調周波数が、約１０ｋＨｚより高いことが普通は好ましい。
【０１１３】
各過変調周波数はその後、チャネル内の信号によって示されるデータのスペクトルの外であるように十分低くなくてはならない。過変調周波数が第２の閾値を超える場合、信号に干渉する可能性がある。というのは、一連の多数の同一ビット（０または１）を示す周波数に対応する可能性があるからである。したがって、信号が干渉されない場合、過変調周波数は第２の閾値より低くなくてはならない。各過変調周波数は約１ＭＨｚより低いことが普通は好ましい。
【０１１４】
ノードＮＣの処理手段ＭＴｉによって各チャネルに加えられる署名が、そのノードＮＣだけでなく、チャネルを受ける入力ポートを示すことができることに留意することが重要である。ノードＮＣの入力ポートを示す（および、そのノードＮＣの他のポートと区別する）ことができるあらゆるタイプの第２の情報は、あらゆる光学／電気／光変換を伴なわない場合に、ノードＮＣの処理手段ＭＴｉによって、第１の情報に加えて、チャネルに追加することができる。
【０１１５】
例えば、ノードＮＣの処理手段ＭＴｉは、入力ポートによって受けられる各チャネルに加えられる第１の情報に、その入力ポートを示す第２の情報を加えることができる。
【０１１６】
例えば、この第２の情報は、第１の情報により加えられる過変調の位相シフトの形をとることができる。この場合、異なる入力ポートで受けられるチャネルに加えられる第１の情報の位相は互いに異なる。図１および図２に示す例では、例えば、処理手段ＭＴｉは、第１の入力ファイバＦＥ１に結合された第１の入力ポートで位相シフトを加えることができず、第２の入力ファイバＦＥ２で結合された第２の入力ポートでπの位相シフト、第３の入力ファイバＦＥ３に結合された第３の入力ポートで−π／２の位相シフト、および第４の入力ファイバＦＥ４に結合された第４の入力ポートで＋π／２の位相シフトを加えることができる。
【０１１７】
周波数ｆＮＣ（所与のノードＮＣを示す）での過変調、および例えば位相シフト（ノードＮＣのＮ個の入力ポートの１つを示す）の組合せは、ノードのどの入力ポートをチャネルが通過したかを明白に示す署名を形成する。この組合せを前提とすると、異なるノードの入力ポートに第２の情報（例えば、異なる位相シフト）を提供する必要はない。したがって、同じ多重のＮ個の異なる第２の情報（例えば、Ｎ個の位相シフト）を、各ノードで使用することができる（もちろん、これらのノードが全て同じ数の入力ポートを有する場合）。
【０１１８】
この実施形態は、所与のノードでの入力ポートを判断するのに有用な署名のローカル部の基準のネットワーク内での定義を必要とすることがある。
【０１１９】
所与の入力ポートに到達するチャネルに第１の情報に加えられる選択された位相シフトの形で第２の情報を加える代わりに、例えば、その入力ポートに特有の周波数、またはその入力ポートに特有のビットの組合せでの過変調の形でポートを識別する情報が加えられる可能性がある。すなわち、第１の変更形態では、ノードＮＣは、そのノードに一意に関連する過変調周波数のバッチが割り当てられ、バッチからのそれぞれの周波数はノードの各入力ポートに割り当てられている。第２の変更形態では、ノードの入力ポートで加えられる過変調は、そのノードに割り当てられた特定の周波数を有し、加えて、入力ポートを区別するためにそれぞれのバイナリコードを運ぶ。このコードは、過変調周波数をノードに割り当てられた周波数あたりに変調することによって加えることができる。
【０１２０】
各入力ポートで各署名を加えるために、処理手段ＭＴｉは例えば、図１および図２に示すように、モジュールの形をとることができる。この場合、各入力ポートは、受けるチャネルに備えたノードＮＣを示す署名を加える役割を担った処理モジュールＭＴｉを有する。
【０１２１】
例えば、各処理モジュールＭＴｉは、電気制御可変光減衰器（ＶＯＡ）であってもよい。この場合、第１の情報（または例えば、過変調）は、受けた入力ポートを含むノードＮＣに関連する周波数に応じてその電力を減衰させることによって、チャネルに加えられる。この種類（ＶＯＡ）の処理モジュールＭＴｉはまた、この入力ポートを同じノードＮＣの他の入力ポートと区別するために、例えば選択した位相シフトの形の第２の情報を各第１の情報に加えることができる。
【０１２２】
ＶＯＡ以外の処理モジュールＭＴｉのタイプを使用して、署名をチャネルに加えることができる。例えば、変調器または音響光学モジュールを使用することができる。
【０１２３】
図１および図２に示し、上に記載したように、切換ノードＮＣはまた、少なくとも同じ切換装置Ｄの入力ポートに設置された処理手段ＭＴｉによって受けられる各チャネルに加えられた署名を判断するために、その切換装置Ｄの出力チャネルの少なくともいくつかに結合された分析手段ＭＡｉを含むことができる。
【０１２４】
図示するように、各出力ポートは分析手段によって分析されることが好ましい。しかし、分析手段がドロップポートを分析することが同様に考えられる。特に、これによりネットワークの最後のノード内の端部間分析が可能になる。同様に、分析手段がドロップポートのみを分析することも考えられる。
【０１２５】
分析手段ＭＡｉは、それら自体を含む、各チャネルが通過した各切換ノードの処理手段ＭＴｉによってそのチャネルに加えられた各署名を判断することが可能であることが好ましい。これは、特に切換装置Ｄを含むドロップポートのみが分析手段ＭＡｉによって分析される場合に必要であり、例えばリングネットワークの場合である。
【０１２６】
分析手段は、モジュールタイプまたはプール状タイプであってもよい。
【０１２７】
プール状分析手段の場合、単一の分析モジュールは、複数の出力（出力ポートおよび／またはドロップポート）によって運ばれるチャネルに加えられた署名を分析する。この場合、分析される各出力ポートは、一方では対応する出力ファイバＦＳｊに、もう一方では分析される出力ポートの１つを選択し、プール状分析モジュールの入力を供給するように分析されるその出力ポートによって受けられるチャネルを出力で運ぶ役割を担っているスイッチの入力の１つに結合された光Ｙスプリッタを備えている。
【０１２８】
モジュール分析手段の場合、分析される各出力は独自の分析モジュールを備えている。これは、特に図１および図２に示す例の出力ポートの場合に当てはまる。より正確には、各チャネルに加えられた各署名を各出力で判断するために、その出力は、一方では対応する出力ファイバＦＳｊに、もう一方では対応する分析モジュールＭＡｉに結合され、分析モジュールＭＡｉを供給するようにこの出力ポートによって運ばれるチャネルの電力の少量をサンプリングする役割を担っている光Ｙスプリッタを備えている。光Ｙスプリッタは、例えば９５％／５％タイプである。
【０１２９】
チャネルに加えられる署名を判断する方法は、署名を生成および追加するのに使用される技術の（１つまたは複数の）タイプによる。使用される方法に関わらず、分析モジュールＭＡｉは第１に、光学フィルタリングサブモジュールにより、出力（ここでは出力ポート）によってマルチプレックスの形で運ばれた、分析されるチャネルをスペクトル的に分離（またはフィルタリング）しなければならない。この分析モジュールＭＡｉはその後、その帯域幅が署名内に含まれる周波数に適当であることが好ましい、光学／電気変換サブモジュールにより電気信号にチャネルを変換しなければならない。この分析モジュールＭＡｉはその後、署名、すなわち第１に必要に応じて、第１の情報を構成する１つまたは複数の過変調周波数を特定し、第２にノードに特有の第２の情報（または、前のノード用の第２の情報）を構成する位相（または過変調）を特定するために、電気分析サブモジュールによりこの電気信号を分析しなければならない。
【０１３０】
光学フィルタリングサブモジュールは、例えば同調フィルタにより提供することができる。
【０１３１】
光学／電気変換サブモジュールは例えば、光チャネルを電気信号に変換する役割を担っている光学フィルタリングサブモジュールの出力で光ダイオードの形をとることができる。
【０１３２】
光学フィルタリングおよび光学／電気変換サブモジュールは、同調フィルタおよび光ダイオードをカスケードすることによって、または光ダイオードのストリップに向かって波長を分割する回折格子の形で生成することができる単一の光チャネルモニタ（ＯＣＭ）モジュール内でグループ化することができる。
【０１３３】
電気分析サブモジュールは例えば、電気信号の過変調周波数、および必要に応じて過変調の位相シフトを判断する役割を担っている同期検出（「ロックイン検出」）サブモジュールの形をとることができる。
【０１３４】
電気分析サブモジュールの実施は、もちろん、第１および第２の情報の性質に応じて変化する。
【０１３５】
このタイプのチャネルの分析のおかげで、ノードＮＣで、各チャネルに加えられた各署名を判断し、したがって（各ノードに関連する過変調周波数が知られている場合）通過した少なくとも各ノード、および必要に応じて各通過ノードで使用される各入力ポートを判断することが可能である。チャネルを受けた入力ポートが分かるので、通過した、およびこれらの入力ノードに結合されたノードの出力ポートを推定することが可能である。各チャネルによって前にとられた経路はしたがって、各分析位置で再構成することができる。
【０１３６】
チャネル追加ポート（追加モジュールＴ１およびＴ２の出力）の少なくとも特定のものが、上に記載したタイプの追加の処理モジュールＭＴｉを備えることができることに留意する。あらゆる処理モジュールＭＴｉを備えていない場合、所与のノードに加えられるチャネルは、そのノードの出力ポートに到達する場合に、署名を有していない。それにも関わらず、このようにチャネル上に署名がないことにより、現在のノードに加えられたことを示すので、ローカルに署名が有効に構成される。
【０１３７】
さらに、管理プレーンがノードに、その入力ポートそれぞれに到達すべきチャネル、およびその出力ポートそれぞれに運ばれるべきチャネルを報告する場合、分析手段ＭＡｉはその切換装置Ｄの物理的状態が実際にその論理状態に対応するかどうかを検証することができる。一致がない場合（または、不適合の場合）、分析手段ＭＡｉはこれから、問題があることを推定することができ、例えば推定された問題を解決することを意図した保護機構を実行するために警告メッセージを生成することができる。
【０１３８】
処理および分析モジュールを備えている切換ノードは、トランスペアレント光ネットワーク内に、特にローカル分析モードで（すなわち、ネットワークの切換ノード内で行なわれる分析により）、また署名がネットワークの様々な点で累積的に加えられる場合に端部間分析モードで設定された光接続経路を追跡する。
【０１３９】
図３は、異なる波長チャネルルーティング監視方法を実施するように設計された、トランスペアレント波長分割多重光ネットワーク３０の一部を示している。ネットワーク３０は複数の切換ノードで形成されており、それぞれその入力ポートと出力ポートの間で切り換える光信号をそれぞれのノード署名でマーキングするように構成されている。ここで、ネットワーク３０は、光学相互接続部３１と、リング３４を形成する光ファイバ３３によって接続された再構成可能な光学追加／ドロップ多重化装置（ＲＯＡＤＭ）３２とを含んでいる。例えば図１または図２と同様の様式で生成された光学相互接続部３１は、リング３４を、その一部が描かれた別のネットワーク部分３８に接続させる。示した接続形態は単なる例示的なものである。これ以下に記載する監視装置は、あらゆる寸法のネットワーク内に、あらゆる接続形態で設置することができる。
【０１４０】
ネットワークの１つまたは複数の切換ノード、ここではノード３１および３２は、ルーティングエラーを検出する光接続経路監視装置を備えている。図３は、各ノード３１および３２と集中ネットワーク管理ユニット３７の間の接続３５および３６を示している。これらの接続は、ノードの監視装置が光信号に影響を与えるルーティングエラーを検出する場合に、管理装置３７に警告信号を伝達するために使用される。ネットワークの他のノードは、同様の様式で管理装置３７に接続することができる。
【０１４１】
図４は、ループ状経路タイプエラーおよびストレイ経路タイプエラーを検出する監視装置を備えたＲＯＡＤＭ３２の一実施形態を示している。大まかに言うと、ＲＯＡＤＭ３２は、上流側光ファイバに接続された入力ポート４１と、下流側光ファイバに接続された出力ポート４２と、ポート４１と４２の間のトランスペアレント切換マトリックス４３とを有する。切換マトリックス４３は、１つまたは複数の波長チャネルを加えることを可能にするための１つまたは複数の追加ポート４４と、１つまたは複数の波長チャネルを落とすことを可能にするための１つまたは複数のドロップポート４５とを有する。図１および図２による光学相互接続部と同様に、振幅過変調を入ってくる光信号に加えるための切換マトリックス４３の入力ポートの処理モジュール４６と、振幅過変調を加えた光信号に加えるための追加ポート４４内の処理モジュール４７とを備えている。過変調は、ＲＯＡＤＭ３２を通過した光信号をネットワーク内のどこでも区別することができるように、ＲＯＡＤＭ３２に一意に割り当てられた１つまたは複数の周波数で加えられる。ここではＲＯＡＤＭ３２の署名を構成する、処理モジュール４６および４７によって加えられる（１つまたは複数の）周波数値は、接続部４９によって示すように、例えば処理モジュールがアクセスすることができるメモリ４８内に記憶される。メモリ４８へのアクセスはまた、周波数の構成または更新、または管理装置３７からの署名の他の特徴を可能にするように管理装置３７から行なわれることが好ましい。この代わりに、またはこれと合わせて、ノード３２のローカルマンマシンインターフェイスからこれらの操作を行なうことができる。
【０１４２】
次に、ＲＯＡＤＭ３２内のループ状接続経路を検出する役割を担っている監視装置をより詳細に説明する。この目的で、分析モジュール５０は、ＲＯＡＤＭ３２が上流側光ファイバから来る光信号を受信する光ラインに結合されている。装置の操作が図６に示されている。ステップ６１では、分析モジュール５０は、運ぶ（１つまたは複数の）ノード署名を判断するために、波長分割多重化光信号または別のチャネルの信号を１つずつ分析する。（１つまたは複数の）検出された署名は、調査ユニット５５に通信される。ステップ６２では、調査ユニット５５は、マルチプレックスまたは別のチャネルであってもよい分析された光信号が入力ポート４１でＲＯＡＤＭ３２の署名を既に運んでいるかどうかを判断するために、（１つまたは複数の）検出した署名をＲＯＡＤＭ３２に一意に割り当てられた（１つまたは複数の）署名と比較する。このような場合、ステップ６３では、調査ユニット５５はその光信号用のループ状経路を検出する。ループ状経路は普通、ネットワーク内では避けられるべきである。ループ状経路は、制御プレーン内の障害、例えばプログラミングエラー、またはネットワークのデータプレーン内での障害、例えば切換構成部品の異常の結果である可能性がある。調査ユニット５５はその後、以下の修正動作の１つまたは複数を開始することができる：
警告ユニット５６が、管理装置３７に警告信号を送信する。
制御ユニット５７が、光信号を終端させるまたは抽出するために、切換マトリックス４３を切り換える。
【０１４３】
この目的で、分析モジュール５０は、分析モジュールが入ってくる光信号の一部、例えば５％をサンプリングするように構成された結合器６５と、この光信号の波長チャネルを選択するように調節可能であることが好ましい光学フィルタリングサブモジュール６６と、選択したチャネルを電気信号に変換する光学／電子変換サブモジュール６７と、ノード署名がその中で検出されなければならない電気信号を成形するフィルタおよび増幅器サブモジュール６８と、変換されたチャネル上に存在する１つまたは複数の過変調周波数を判断するスペクトル分析サブモジュール６９とを備えた、図５の実施形態に適合することができる。スペクトル分析サブモジュール６９は、デジタル信号プロセッサを使用して生成することができる。例えば、分析モジュール５０によって行なわれる処理の結果は、過変調が存在する周波数値ｆ、および必要に応じて各周波数での電力の測定を与える、可変調スペクトル７０の形をとることができる。
【０１４４】
一実施形態では、光学フィルタリングサブモジュール６６は、光信号内の波長のマルチプレックス、例えば波長の帯域、または同じ接続に属する１セットの波長を選択するように設計されている。
【０１４５】
別の実施形態では、光学フィルタリングサブモジュール６６は取り除かれる、その結果、過変調がスペクトルマルチプレックス全体で検出される。署名はこのように極めて迅速に得ることができ、その結果、ループ状経路検出は、監視が連続して、チャネルごとに、光学フィルタリングサブモジュールを毎回調節して行なわれる場合より速くなる可能性がある。しかし、マルチプレックスの分析がループ状経路の検出につながる場合、問題の原因を探すためにより正確な情報を得る必要がある場合がある。この目的で、マルチプレックスの分析後に、ループ状経路をとるチャネルを特定し、そのチャネルの特定をネットワーク管理装置３７に伝達するためにチャネルごとの分析に進むことが望ましいことがある。これらの２つの分析を行なうための２つの別個の分析モジュールを提供することができる、または光学フィルタリングサブモジュール６６が選択的にトランスペアレントにされるまたは選択的にバイパスされる１つの分析モジュールを提供することができる。サブモジュール６６の選択が図５に描かれており、光リンク７８が結合器６５を変換サブモジュール６７に接続させて、フィルタリングモジュール６６をバイパスし、スイッチ７９が結合器６５からサブモジュール６６またはリンク７８に入る光信号を選択的に前進させる。
【０１４６】
別法では、切換マトリックス４３の下流側に、すなわちＲＯＡＤＭ３２から出る光信号のために配置された分析モジュールの助けをかりて、ループ検出を行なうことができる。この場合、対応する署名を加える処理モジュール４６は常に、分析モジュールの下流側になくてはならない。
【０１４７】
調査ユニット５５は、ノードの署名を調査するためにメモリ４８にアクセスすることができる。調査される署名としては、ＲＯＡＤＭ３２が加える光信号をマーキングするのに使用される署名、および／またはＲＯＡＤＭ３２を通過している光信号をマーキングする署名を挙げることができる。
【０１４８】
チャネルが特定のノードのみによって送信される場合、そのチャネルに関連する署名はまた、対応するノードの署名として取り扱うことができる。特定のチャネル署名によってマーキングされた波長チャネルを送信するノードでは、監視装置はしたがって、そのチャネル署名の検出に基づきループ検出を行なうこともできる。
【０１４９】
次に、ＲＯＡＤＭ３２内でネットワーク内の可能なストレイ接続経路を検出する役割を担っている監視装置をより詳細に記載する。この目的で、分析モジュール８０は、ＲＯＡＤＭ３２が光信号を下流側光ファイバに伝達する光ラインに結合されている。装置の操作が、図７に示されている。ステップ７１では、分析モジュール８０は、運ぶ（１つまたは複数の）ノード署名を判断するために、波長分割多重化光信号または別のチャネルの信号を１つずつ分析する。マルチプレックスがネットワーク内で単一のルートをとる場合に、マルチプレックスの分析が適当である。分析モジュール８０は、分析モジュール５０と同一であってもよい。（１つまたは複数の）検出された署名は、演算ユニット８１に通信される。ステップ７２では、演算ユニット８１は検出したノード署名によって示されるホップの数をカウントする。
【０１５０】
このカウントがどのように行なわれるかは、どのように署名がネットワークのノードによって加えられるかによる。各ノードが異なる周波数で過変調を加えるネットワークの場合、信号内に存在する過変調周波数の数をカウントすれば十分である。各ノード署名が固定数の周波数からなる場合、信号内に存在する過変調周波数の数をカウントし、合計をその固定数で割れば十分である。より複雑な状況では、例えばノード全てが同様の署名方式を加えるわけではない場合、演算ユニット８１はメモリまたは他の記憶媒体に記憶された署名ディレクトリ８２と協働することができる。署名ディレクトリ８２は、例えば演算ユニット８１が検出した署名をこれらの記録と比較して様々なノード署名を特定およびカウントすることを可能にする、ネットワークの各ノードの各署名の記録を含んでいる。
【０１５１】
ステップ７３では、演算ユニット８１は署名によって示されるホップの数をより高い所定の閾値と比較する。このより高い閾値は、例えば監視装置を構成する場合は固定であり、演算ユニット８１内に記憶される。
【０１５２】
より高い閾値は、ネットワークの接続形態に応じて固定することができる。例えば、ネットワークの任意の２つのノードをＱノードと接続させる最大数のホップを判断することが可能である。これに対する１つの可能性のある手順は、
Ｑ＊（Ｑ−１）２つのノード間のポイント間接続それぞれに対して、ホップの数に関して最短の経路を演算するステップと、
これらの経路全てに対する最大数のホップを特定するステップとからなる。
【０１５３】
より高い閾値は、必要に応じて正の安全域だけ大きくなった、このような最大数に等しくすることができる。
【０１５４】
ホップの数がこの最大数を超える経路は普通、ネットワーク内では避けられるべきであり、したがってストレイ経路であると考えることができる。ストレイ経路は、ネットワークの制御プレーン内の障害、例えばプログラミングエラーまたはネットワーク内で進行中の再構成と一致しないルーティング決定、またはネットワークのデータプレーン内の障害、例えば切換構成部品の異常、または人的エラーの結果である可能性がある。
【０１５５】
ステップ７４では、最大数を超えた場合、演算ユニット８１はその光信号に対するストレイ経路を検出する。演算ユニット８１はその後、以下の修正動作の１つまたは複数を開始することができる：
ステップ７５：警告ユニット５６が、警告信号を管理装置３７に送信する。
ステップ７６：制御ユニット５７が、光信号を終端させるまたは抽出するために、切換マトリックス４３を切り換える。
【０１５６】
余分な数のホップの検出を代わりに、切換マトリックス４３の上流側に、すなわちＲＯＡＤＭ３２に入る光信号のために配置された分析モジュールの助けをかりて行なうことができる。しかし、出力ポートでの分析は、抽出されるチャネルを不必要にチェックするのを避ける点で好ましい。監視装置はまた、あらゆる切換ノードとは別に設置することができる。
【０１５７】
ホップの数を検出すること、または光信号上に蓄積されたノード署名から端部間接続経路を判断することは、様々なノードの署名を各ノード署名の検出性を保持するように蓄積することができることを前提としている。この検出性を助けるため、賢明に選択した１セットの値内でノード署名を選択することが可能である。例えば、四波混合を少なくする１セットの周波数値は、「Ｒｅｄｕｃｔｉｏｎ  ｏｆ  Ｆｏｕｒ−Ｗａｖｅ  Ｍｉｘｉｎｇ  Ｃｒｏｓｓｔａｌｋ  ｉｎ  ＷＤＭ  Ｓｙｓｔｅｍｓ  Ｕｓｉｎｇ  Ｕｎｅｑｕａｌｌｙ  Ｓｐａｃｅｄ  Ｃｈａｎｎｅｌｓ」、ＩＥＥＥフォトニック技術レター、第６巻、７５４−７５６ページ（１９９４年）でＦ．Ｆｏｇｈｉｅｒｉ他によって提起された原理により構成することができる。
【０１５８】
署名検出を良くするためには、分析モジュールの上流側に波長チャネル内の電力を均一にするスペクトルイコライザを提供することも有利である可能性がある。振幅過変調は、例えば１から５％に等しくなるように選択された、ネットワーク全体を通したほぼ均一の変調深度で行なわれることが好ましい。したがって、波長チャネルの均一化により、その過変調周波数で電力に応じて所与の署名を運ぶチャネルのカウントを容易にするために、署名の均一化を共同して引き起こすことが可能である。
【０１５９】
別のタイプの光切換ノード内に、例えば光学相互接続部３１内に監視装置を製造する方法は、ＲＯＡＤＭ３２を参照して与えられた例から簡単に推測される。例えば、図１および図２を参照して記載するように、それぞれの分析モジュールは各ポートに割り当てることができる、またはプール状分析モジュールは複数のポートに対して利用することができる。
【０１６０】
ループ状接続経路監視およびストレイ接続経路監視により、相互に相補的な結果が生じ、したがって共同して実施されることが好ましい。２つの監視装置の構成部品の特定のモジュール、例えば分析モジュール、警告ユニットまたはプログラム可能回路はしたがって、プール状にするまたは一体化させることができる。しかし、各監視装置は他の装置とは独立して設置することもできる。他の障害検出システムに対して、これらの２つの監視装置は、相対的に安定した参照情報、すなわちネットワークにわたるホップの最大数、およびノードに割り当てられた（１つまたは複数の）署名を使用する。したがって、ネットワークの制御プレーンによるこの参照データの更新は、ごくまれに必要なだけであるべきである。
【０１６１】
ループ検出は、切換ノード以外の通過点に関連する署名と同じ原理により実施することができる。
【０１６２】
次に図８を参照して、各チャネルの署名の分析を行なうことができる前でさえも、波長チャネルのルーティングに影響を与えるイベントの検出を可能にする、高度なルーティング監視装置を備えたトランスペアレント切換ノードの一実施形態を説明する。この切換ノードは、ネットワークを通過させる光信号をそれぞれの署名でマーキングする能力をそれぞれ有する１つまたは複数の要素で形成されたトランスペアレント光ネットワーク内に設置することを意図している。これらの要素は、例えば図３に示すネットワークと同様に、ノード署名が関連する切換ノードであってもよい。
【０１６３】
例示する目的で、ここでは、１つまたは複数の追加ポート９１および１つまたは複数のドロップポート９２を備えたトランスペアレント切換マトリックス８８によって相互接続された、２つの入力ポート８４、８５および２つの出力ポート８６、８７を有する切換ノード９０が示されている。例えば、ポート８６に関連する切換マトリックス８８の出力で署名を分析するために、ノード９０内に設置された監視装置をこれ以下に説明する。この監視装置は、波長チャネルをフィルタリングすることなく出力で通過する波長のマルチプレックスの一部分をサンプリングし、その光信号によって運ばれるノード署名全てを検出する第１の分析モジュール９３を含んでいる。分析モジュール９３は、図５のものと同様であってもよいが、光学フィルタリングモジュール６６は備えていない。
【０１６４】
定期的な間隔で、分析モジュール９３は、例えばネットワーク内で使用される過変調周波数の範囲全体、または例えばノード９０によって使用される過変調周波数全て、ネットワークの特定のセクタのノードによって使用される過変調周波数全て、ノード９０のすぐ下流側でノードによって使用される過変調周波数全て、またはノード９０に隣接するノードによって使用される過変調周波数全てを含む、その範囲の連続または非連続サブセットに対する検出署名のスペクトルを一時比較モジュール９４に送信する。一時比較モジュール９４は、時間インクリメントｔで受けたスペクトルを１回前のインクリメントを受けたスペクトルと比較することによって、検出した信号の一時変化を検出する。この目的で、一時比較モジュール９４は、例えば時間インクリメントｔ−１で１つまたは複数の経過時間で検出された署名のスペクトルの記録をメモリ９５内に保持する。このスペクトルの変化を検出する場合、一時比較モジュール９４はこれをノードコントローラ９６にアドバイスする。
【０１６５】
図９および図１０は、例として、出力で署名の変化をもたらす解決法を示している。時間ｔで、ゲート８６は切換マトリックス８８を介して、ポート８４から周波数ｆ１での過変調によってマーキングされた２つのチャネル、すなわちλ１およびλ３、およびポート８５から周波数ｆ２で過変調によってマーキングされた２つのチャネル、すなわちλ２およびλ４を受ける。図９は、分析モジュール９３によって測定された対応する署名スペクトルを示している。その後の時間で、チャネルλ４はポート８６には到達しない。図１０は、分析モジュール９３によって測定された対応する署名スペクトルを示している。一時比較モジュール９４が図１０のスペクトルを受けるとすぐに、例えば２つのスペクトル間の差を算出し、結果を所定の閾値と比較することによって、周波数ｆ２での署名に関して変化が起きたことを検出する。この警告は、ノードコントローラ９６に極めて迅速に与えることができる。
【０１６６】
図１および図２の実施形態と同様に配置された処理モジュールの助けをかりて、周波数ｆ１およびｆ２での署名を、例えば前のノードで、または例えばノード９０で加えることができる。また、２つの異なる周波数ｆ１およびｆ２の代わりに、２つの入力ポート８４および８５で光信号によって運ばれる署名が各ポートに対して異なる位相シフトと同じ周波数を有する場合に、署名スペクトルの変化が上に記載した状況で検出されることに留意されたい。この周波数で検出された強度はまた、この場合に変化しやすい。
【０１６７】
監視装置はまた、出力で通過する光信号の各波長チャネルによって運ばれるそれぞれのノード署名を検出する第２の分析モジュール９８を含んでいる。分析モジュール９８は、図５のものと同様であってもよく、または図１を参照して示すように、ＯＣＭの形であってもよい。別の実施形態では、２つの分析モジュール９３および９８は、上に記載した図５の変更形態と同様に、特定の構成部品を共有することができる。
【０１６８】
分析モジュール９８は、比較モジュール９４によるスペクトル変化の検出に応じて、ノードコントローラ９６によってトリガされることが好ましい。分析モジュール９８の操作は、図１および図２のモジュールＭＡのものと同様である。光信号は、運ぶ（１つまたは複数の）署名を判断するために、チャネルごとに分析される。この目的で、光学フィルタリングモジュールは、各波長チャネルに連続して同調される、またはＯＣＭの場合、ブロードキャストネットワークによって分離された各チャネルに対応する連続署名を検出するために、各光ダイオードからの電気信号は例えば電子スイッチにより連続して選択される。プール状分析モジュール９８の場合、対応するスイッチは、分析モジュール９３が署名変化を検出したチャネルを選択するように命令することができる。
【０１６９】
各チャネルに対する検出された署名スペクトルは、光接続経路のプログラミング状態と比較するために、ノードコントローラ９６まで通過される。この比較は、ノードコントローラ９６内でローカルに、またはノードコントローラ９６からの測定の伝達の後に、ネットワーク管理装置内で集中して起こる可能性がある。ここで、光接続経路のプログラミング状態というのは、どの波長チャネルが切換ノード９０の各出力ポートに存在しなければならないかおよびこれらのチャネルのソースを規定する参照情報のことを言う。したがって、この参照情報を出力で検出されたチャネルの識別および各チャネルによって運ばれる署名と比較することによって、ネットワーク構成エラー、例えば意図しないチャネルがあること、意図したチャネルがないこと、意図しないソースを有する意図したチャネルがあることなど反映する不一致を検出することができる。分析モジュール９８によって作り出されたチャネルごとの分析は、分析モジュール９３によって作り出されたグローバル分析よりはるかに時間がかかる可能性がある。早期警告がネットワークマネージャに送信された場合、この遅延は重大ではない。というのは、検出された問題の性質を特定または確認するのに分析モジュール９８が基本的に使用されるからである。
【０１７０】
例えば、予防策として、切換マトリックス８８をバイパスする光学保護経路は、ノード９０のバックアップ切換マトリックス（図示せず）を作動させることによって警告が比較モジュール９４によって与えられるとすぐに作動させることができる。
【０１７１】
別法では、分析モジュール９８は特定のトリガを必要とすることなく、分析モジュール９３と平行して連続的に動作することができる。しかし、この実施形態は、監視装置のエネルギー消費、したがって放熱、および必要に応じて同調フィルタのエージングを大きくする。
【０１７２】
矢印９７によって示すように、ノードコントローラ９６は、例えば切換マトリックス８８をローカルで再構成する、例えば光経路を設定する、光経路を崩壊させる、または既存の光経路を変更するためのコマンド指示を含む制御メッセージを受信するために、制御チャネルによってネットワーク管理装置、および／またはネットワークの他のノードのノードコントローラに接続されている。相互に、ノードコントローラ９６は、制御メッセージを送信する信号伝達モジュール９７を有する。
【０１７３】
特定の一実施形態では、比較モジュール９４からの警告を受けたノードコントローラ９６は、検出した署名変化がちょうど実行されたコマンド指示に対応するかどうかを判断する。そうであれば、検出された変化は、コマンド指示の正確な実行の確認として取り扱うことができ、例えばネットワーク管理装置への確認メッセージの送信につながる可能性がある。（図９および図１０の例では、この状況は、例えば切換マトリックス８８を再構成して、ポート８６でチャネルλ４を取り除く指示を実行することに相当する）。再構成指示の実行を確認することができるようにチャネルごとの分析が必要でない限り、この場合に分析モジュール９８をトリガする必要がない。逆に、そうでない場合、検出された変化は早期エラー表示として取り扱うことができ、例えばネットワーク管理装置への警告メッセージの送信、および分析モジュール９８による詳細な分析のトリガにつながる可能性がある。
【０１７４】
切換マトリックス８８の操作によって生じる署名変化を入力ポート８４および８５によって受信される光信号の変化によって生じる署名変化と区別することができるように、モジュール９３および９４と同様に、別の多チャネル署名変化検出器を入力ポートと切換マトリックスの間に追加することが有利である可能性がある。
【０１７５】
さらに、監視装置をノードの出力に関して説明し示したが、この装置はノードのあらゆる入力またはあらゆる出力で同じように設置することができる。
【０１７６】
行なわれる監視のタイプに関係なく、別の実施形態は、切換マトリックスの１つまたは複数の出力および１つまたは複数の入力にそれぞれ結合された選択可能入力を有するスイッチ、およびスイッチの出力に結合された入力を有し、スイッチに結合されたチャネルの１つから選択的に来る光信号を分析する役割を担っているプール状分析モジュールを使用することである。
【０１７７】
記載した様々な監視装置は、互いに独立して、または組み合わせて設置することができる。後者の場合、異なる監視装置の特定のモジュールまたは構成部品、例えば分析モジュールは、プール状にするまたは一体化させることができる。
【０１７８】
「備える」または「含む」という動詞およびその活用形の使用は、特許請求の範囲で述べたもの以外の要素またはステップの存在を排除するものではない。そうでないと示されていない限り、要素またはステップに対する「ａ」または「ａｎ」という不定冠詞の使用は、このような複数の要素またはステップの存在を排除するものではない。
【０１７９】
本発明は、ハードウェア設計が特に記した機能に対応するプログラム可能ハードウェアまたは要素によって実行される記した機能に対して特に設計されたコンピュータプログラムによって、またはプログラムおよび特定のハードウェア要素の組合せによって実施することができる。同じハードウェア要素は、複数の手段またはユニットまたはモジュールを示すことができる。
【０１８０】
特許請求の範囲では、カッコ内のあらゆる参照番号は特許請求の範囲を限定するものとして解釈すべきではない。
【０１８１】
本発明は複数の特定の実施形態に関して記載したが、これらに限るものではなく、それらの組合せが本発明の範囲内にある場合にその組合せと共に記載した手段の技術的同等物全てを含んでいることが明らかである。
【図１】
2009543487.tif 000003
【図２】
2009543487.tif 000004
【図３】
2009543487.tif 000005
【図４】
2009543487.tif 000006
【図５】
2009543487.tif 000007
【図６】
2009543487.tif 000008
【図７】
2009543487.tif 000009
【図８】
2009543487.tif 000010
【図９】
2009543487.tif 000011
【図１０】
2009543487.tif 000012
【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
複数の切換ノード（３１、３２）のそれぞれが前記切換ノードの上流側のリンクから前記切換ノードの下流側のリンクまで光信号を透過的に通過させ、前記光信号を前記切換ノードに一意に関連する情報を含むノード署名で、いかなる光学／電気／光学変換もなしにマーキングするようにそれぞれ構成された、トランスペアレント光ネットワーク（３０）用の光接続経路監視方法であり、前記ネットワークの点で通過している光信号がこれによりマーキングされるノード署名を検出するステップ（７１）を含んでいる方法であって、
前記検出されたノード署名からホップの数を判断するステップ（７２）と、
前記閾値を超えた場合に前記光信号に関するルーティングエラーを検出するように、前記ホップの数を所定の閾値と比較するステップ（７３）と
を特徴とする、方法。
【請求項２】
前記ネットワークの切換ノード（３２）によって受信される光信号によって運ばれる署名が検出されることを特徴とする、請求項１に記載の方法。
【請求項３】
前記ルーティングエラーが検出される前記光信号を終端させるまたはネットワークから抽出するステップを特徴とする、請求項１または２に記載の方法。
【請求項４】
単一の波長を有する光信号によって運ばれる署名が検出されることを特徴とする、請求項１から３のいずれか一項に記載の方法。
【請求項５】
それぞれが、ネットワークの切換ノードに一意に関連する情報を含み、いかなる光学／電気／光学変換もなしに加えられた、前記ネットワークの点で通過する光信号によって運ばれるノード署名を検出するように構成された分析手段（８０、８１）を備えたトランスペアレント光ネットワーク用光接続経路監視装置であって、
前記分析手段が、前記検出されたノード署名からホップの数を判断するように構成された演算手段（８１）と、所定の閾値を超えた場合に前記光信号に関連するルーティングエラーを検出するために前記ホップの数を前記閾値と比較するように構成されたエラー検出手段（８２）とを含んでいるということを特徴とする、装置。
【請求項６】
前記演算手段が、検出された別個のノード署名の数としてホップの数を判断することを特徴とする、請求項５に記載の装置。
【請求項７】
複数のノード署名および複数のノード署名それぞれに関連するそれぞれの切換ノードを特定する署名ディレクトリ（８２）を含み、前記演算手段が前記ホップの数を判断するために前記署名ディレクトリと協働するように構成されていることを特徴とする、請求項５または６に記載の装置。
【請求項８】
前記分析手段が、ネットワーク内を通過する波長のマルチプレックスから１つまたは複数のチャネルを分離し、その署名を検出しなければならない光信号として前記１つまたは複数の波長チャネルを供給する光学フィルタリングモジュール（６６）を含んでいることを特徴とする、請求項５から７のいずれか一項に記載の装置。
【請求項９】
トランスペアレント光ネットワークの切換ノード（３２）用光接続経路監視装置であり、前記切換ノードが前記切換ノードに一意に関連する情報を含む少なくとも１つのノード署名で、いかなる光学／電気／光学変換もなしに光信号をマーキングするように構成された処理手段（４６、４７）と、前記マーキングされた光信号を前記ネットワーク内に伝達するように構成された少なくとも１つの光学出力（４２）と、ネットワーク（３３）の光ラインに結合されるように構成された少なくとも１つの光学入力（４１）と、前記少なくとも１つの入力を前記少なくとも１つの出力に結合させる切換手段（４３）とを含み、前記光信号がマーキングされる１つまたは複数の署名を検出するために前記処理手段の上流側の前記切換ノードによって受信される光信号を分析するように構成された分析手段を備えた装置であって、
前記分析手段（５０、５５）が、前記受信した光信号が前記処理手段の上流側で前記切換ノードに関連するノード署名によってマーキングされる場合にルーティングエラーを検出するために、前記切換ノードに関連する前記少なくとも１つのノード署名を調査するように構成されているということを特徴とする、装置。
【請求項１０】
前記分析手段が、波長を１つだけしか有していない光信号内の前記少なくとも１つのノード署名を調査するように構成されていることを特徴とする、請求項９に記載の装置。
【請求項１１】
前記分析手段が、波長のマルチプレックス内の前記少なくとも１つのノード署名を調査するように構成されていることを特徴とする、請求項９に記載の装置。
【請求項１２】
前記分析手段が、波長を１つだけしか有していない光信号内で前記少なくとも１つのノード署名が調査される単チャネル動作モードで、および波長のマルチプレックス内で前記少なくとも１つのノード署名が調査される多チャネル動作モードで選択的に機能するように構成された分析モジュール（５０）を含んでいることを特徴とする、請求項９に記載の装置。
【請求項１３】
前記分析手段が、切換ノードに関連する１つまたは複数の署名を記憶する記憶手段（４８）と協働することを特徴とする、請求項９から１２のいずれか一項に記載の装置。
【請求項１４】
前記ルーティングエラーが検出される前記光信号に関する警告信号を作り出すように構成された警告手段（５６）を備えていることを特徴とする、請求項５から１３のいずれか一項に記載の装置。
【請求項１５】
前記光信号が受信された切換ノード（３２）に関連しており、前記ルーティングエラー検出装置が前記ルーティングエラーが検出された前記光信号を終端させるまたは抽出するように前記切換ノードの切換装置（４３）に命令するように構成された制御手段（５７）を備えているということを特徴とする、請求項５から１４のいずれか一項に記載の装置。
【国際調査報告】
2009543487.tif 000013
2009543487.tif 000014
2009543487.tif 000015